(57)【要約】      （修正有）【課題】椅子の座面上に設置する座り姿勢を矯正、保持するために可搬式座位姿勢保持支援具を提供する。【解決手段】可搬式座位姿勢保持支援具１は、座板と、座板上に凸状に位置する少なくとも１つ以上の座部と、座部の前方に位置する前クリアランス部１４と、座部の後方に位置する後クリアランス部１５とを有しており、座部は左右の坐骨の頂部を支持可能な座面を有し、前クリアランス部１４は大腿部の圧力が直接的に座板に伝わり難く、後クリアランス部１５は臀部の圧力が直接的に座板に伝わり難い。【選択図】図１
0003225040.tif 000002
【実用新案登録請求の範囲】
【請求項１】
主に椅子の座面に着脱可能に設置し、座位の姿勢を保持するための可搬式座位姿勢保持支援具において、
座板と
座板上に凸状に位置する少なくとも１つ以上の座部と
座部の前方に位置する前クリアランス部と
座部の後方に位置する後クリアランス部と
を有しており
座部は左右の坐骨の頂部を支持可能な面を有し、
前クリアランス部は大腿部の圧力が直接的に座板に伝わり難い役割を担っており
後クリアランス部は臀部の圧力が直接的に座板に伝わり難い役割を担っている
ことを特徴とする可搬式座位姿勢保持支援具。
【請求項２】
座板の一部がシールや金具、紐、磁石等により、折り畳み可能、もしくは、分離可能な機構を有している
ことを特徴とする請求項1の可搬式座位姿勢保持支援具。
【請求項３】
各パーツが使用者自身で組み立てることが可能な組み立てキット式となっている
ことを特徴とする請求項1の可搬式座位姿勢保持支援具。
【考案の詳細な説明】
【技術分野】
【０００１】
この発明は、椅子の座面上に設置する座り姿勢を矯正、保持するための可搬式座位姿勢保持支援具に関する。
【背景技術】
【０００２】
従来の技術として、ベルトを活用した姿勢矯正具や、姿勢矯正機能を備えた座席がある。
【０００３】
ベルトを活用した姿勢矯正具は、椅子に装着したベルトで膝と腰と骨盤を締めて固定するものである。
【０００４】
姿勢矯正機能を備えた座席は、座席上に配置した骨盤の曲線に合わせた凸部により姿勢を矯正するものである。
【０００５】
いずれも座位の姿勢を矯正することを特徴とする。
【先行技術文献】
【特許文献】
【０００６】
【特許文献１】特開２００３−７９６５０号公報
【０００７】
【特許文献２】実用新案３１０６１９２号公報
【考案の概要】
【考案が解決しようとする課題】
【０００８】
しかしながら、これらの装置では、持ち運び性や、学校やオフィスでの使用には課題があった。また、坐骨の角度を意識しながら姿勢を矯正する場合にも課題があった。
【０００９】
ベルトを活用した姿勢矯正具は、装置が大掛かりであり、着脱にも時間を要するため、学校や塾、オフィスでは手軽に使い難いという課題がある。
【００１０】
また、装着した姿が目立ってしまい、学校等での使用にはそぐわない。
【００１１】
姿勢矯正機能を備えた座席は、手軽に持ち歩けるサイズではないため、使用場面が限られてしまうという課題がある。
【００１２】
また、骨盤の曲線を支持し、臀部や大腿部にも接触する構造のため、座位での坐骨の角度を自身で意識することが難しいという課題がある。
【００１３】
近年、ゲームやスマートフォンの普及により、姿勢の矯正が必要な子供が増えている。
姿勢が悪いことが計算力低下や健康面での悪影響につながるとの報告もある。
そのため、座位姿勢保持支援具は、学校や塾、オフィスなどで手軽に使えることが理想である。
【００１４】
座位姿勢では、自分の坐骨が立つ角度になるように意識することで、不要な筋肉が緊張しない、つまり、疲れない姿勢をとることができる。
【００１５】
しかしながら、坐骨が座面に接触しない座位姿勢保持支援具の場合、坐骨の角度を意識することが難しい。
【００１６】
また、坐骨以外に臀部や大腿部にも座面が接触する座位姿勢保持支援具の場合、坐骨と座面の接触感がわかり難くなるため、自身の坐骨角度を意識することが難しくなるという課題がある。
【課題を解決するための手段】
【００１７】
以上の課題を解決するために、本発明は、持ち運びが容易で坐骨の角度を意識することが可能な可搬式座位姿勢保持支援具であることを特徴とする。
【考案の効果】
【００１８】
本発明によれば、学校や塾、オフィスなどで手軽に、不要な筋肉が緊張しない、つまり、疲れない座位姿勢を保持することが可能である。
【図面の簡単な説明】
【００１９】
【図１】この発明の使用場面を示す図である。
【図２】この発明の第一の実施形態を示す上面図である。
【図３】この発明の第一の実施形態を示す側面図である。
【図４】この発明の第一の実施形態を示す前面図である。
【図５】人の骨盤の正面図である。
【図６】人の骨盤の側面簡略図である。（a）は坐骨が立っている状態、（ｂ）は坐骨が寝ている状態を示す。
【図７】この発明の第二の実施形態を示す上面図である。
【図８】この発明の第二の実施形態を示す前面図である。（a）は座板開閉操作時、（ｂ）は座板折りたたみ時である。
【図９】この発明の第三の実施形態を示す上面図である。
【考案を実施するための形態】
【００２０】
この発明の第一の実施形態を図１、図２、図３、図４、図５、図６に示す。
【００２１】
可搬式座位姿勢保持支援具１は、
座板１１と
座板１１上に凸状に位置する少なくとも１つ以上の座部１２と
座部１２の前方に位置する前クリアランス部１４と
座部１２の後方に位置する後クリアランス部１５と
を有している。
【００２２】
座板１１は主に椅子２の座面１３上に設置されることを想定しており、座面１３上には凸状の座部１２を有している。座板１１の材質は非変形性、もしくは、凸状の座部１２と同等もしくは、それ以上の硬さを有していることが望ましい。
【００２３】
座部１２は左右の坐骨頂部３２を支持可能な座面１３を有している。形状は円形、略三角形、楕円形、長方形等、何でも構わない。なお、日本人の成人の左右坐骨頂部間の距離は１２ｃｍから１３ｃｍとされている。
【００２４】
座部１２の突出高さは、座板１１に対して１ｍｍから１０ｍｍが望ましい。座板１１からの高さが高いほど、座部１２から坐骨頂部３２が落ちた際に、その感覚が伝わりやすいが、１ｍｍから１０ｍｍであれば、落ちた坐骨頂部３２を座面１３に戻す動作も容易である。
【００２５】
座部１２の材質は、硬質でも弾性体でも良い。硬質であるほど、坐骨頂部３２が座面１３に乗っている感じがわかりやすいが、長時間座ると坐骨頂部３２が痛くなる。硬度はHｓ１５からHｓ６０が望ましい。
【００２６】
前クリアランス部１４は大腿部の圧力が直接的に座板１１に伝わり難い役割を担っている。
【００２７】
後クリアランス部１５は臀部の圧力が直接的に座板１１に伝わり難い役割を担っている。
【００２８】
前クリアランス、および後クリアランスを有することで、坐骨頂部３２直下の座面１３に体重が集中する。
そのため、自身の坐骨の角度の変化が認識しやすい。
坐骨が座面１３に対して立っている状態が、不要な筋肉が緊張しない、つまり、疲れない座位姿勢といわれている。
【００２９】
この発明の第二の実施形態を図７、図８に示す。
【００３０】
座板１１の一部が分離可能になっており、表面シール１８と裏面シール１７をはり合わせることで、折りたたみ機構１６を実現している。
裏面シール１７は、座板１１展開した状態で、座板１１の裏面、つまり座部１３とは反対の面に貼っている。
表面シール１８は、座板１１を折り畳んだ状態で、座板１１の表面、つまり座部１３がある側の面に貼っている。
【００３１】
座板１１を貼り合わせるシールは、表面シール１８、裏面シール１７のどちらか一方でも構わないが、両面に貼ることで、より耐久性が向上する。
また、シールは、各面に１枚でも複数枚でも構わない。
【００３２】
シール以外にも金具や紐、磁石等で座板１１の折りたたみ機構１６を実現しても構わない。
折りたたみ機構１６は分離・着脱できる仕様でも構わない。
【００３３】
この発明の第三の実施形態を図９に示す。
【００３４】
各パーツは組み立てされておらず、使用者自身が最終形態に組み立て可能なようにキット化されている。
【００３５】
例えば、学校の授業等で本キットを自身で組み立てることで、自身の姿勢を意識する絶好の機会となる。
【００３６】
「実施形態の効果」
この実施形態によれば、場所を問わず、手軽に座位姿勢を保持できる効果がある。
【符号の説明】
【００３７】
１・・・可搬式座位姿勢保持支援具
１１・・・座板
１２・・・座部
１３・・・座面
１４・・・前クリアランス部
１５・・・後クリアランス部
１６・・・折り畳み機構
１７・・・裏面シール
１８・・・表面シール
２・・・椅子
２１・・・椅子座面
３・・・人
３１・・・骨盤
３２・・・坐骨頂部
３３・・・坐骨角
【図１】
0003225040.tif 000003
【図２】
0003225040.tif 000004
【図３】
0003225040.tif 000005
【図４】
0003225040.tif 000006
【図５】
0003225040.tif 000007
【図６】
0003225040.tif 000008
【図７】
0003225040.tif 000009
【図８】
0003225040.tif 000010
【図９】
0003225040.tif 000011